(57)【要約】      （修正有）【課題】容器本体の開口縁部に蓋を係合することにより閉塞した容器の開閉機構を、簡素な構造で、且つ、開閉を繰り返しても、丈夫な構成の廃棄物回収用装置の提供する。【解決手段】容器本体１３を載置する基台１５、及び、容器本体１３の開口部を閉塞する蓋１４を開閉する蓋開閉手段１６を備え、蓋開閉手段１６に、ペダル３７操作により揺動する揺動杆３３と、揺動杆３３の揺動に連動する昇降杆と、基台１５に枢着して回動する回動部材３５とを備え、回動部材３５に蓋保持部４２を備えるとともに、回動部材３５を昇降杆の上部に連結する。回動部材３５と基台１５との枢着部分に、開口縁部と蓋１４との係合を解除可能な長さ分だけ回動部材３５を上方向へスライド案内する案内手段を構成する。【選択図】図１
0003163412.tif 000002
【実用新案登録請求の範囲】
【請求項１】
廃棄物を収容可能な容器本体を載置する基台、及び、上記容器本体の開口部の縁部に係合可能に閉塞する蓋をペダル操作により開閉する蓋開閉手段を備え、
上記蓋開閉手段に、
上記基台の下部に枢着してペダルの上下動操作により揺動する揺動杆と、上記容器本体の背面側に起立姿勢で上記揺動杆の揺動に連動して昇降動作する昇降杆と、上記基台に枢着して上記蓋の後方側で該蓋と一体に回動する回動部材とを備え、
上記回動部材に上記蓋を保持する蓋保持部を備えるとともに、上記回動部材を上記昇降杆の上部に連結して構成した廃棄物回収用装置であって、
上記回動部材と上記基台との上記枢着部分に、当該回動部材を上記開口縁部と上記蓋との係合が解除される高さ方向へスライド案内する案内手段を構成した
廃棄物回収用装置。
【請求項２】
上記案内手段は、上記回動部材に構成した長孔であり、
上記長孔を、上記開口縁部と上記蓋との係合が解除される長さ分だけ上記基台に対してスライド可能な溝長さで構成した
請求項１に記載の廃棄物回収用装置。
【請求項３】
ペダルの下動操作により下降した上記揺動杆を係合して上記蓋を開状態にロックする係合ロック手段を、上記基台の上記揺動杆との枢着部分より前方側であるとともに上記揺動杆の側方近傍に構成し、
上記揺動杆を、上記係合ロック手段と係合可能に幅方向へスライド可能に構成した
請求項１、又は、請求項２に記載の廃棄物回収用装置。
【請求項４】
上記蓋の幅方向両側に、上方へ突き出した突起部をそれぞれ備え、
上記蓋保持部を、上記蓋の幅方向における一方の側の上記突起部と他方の側の上記突起部とのそれぞれを挟持する一対の挟持手段を備えて構成した
請求項１から請求項３のうちいずれか１項に記載の廃棄物回収用装置。
【考案の詳細な説明】
【技術分野】
【０００１】
この考案は、ペダル操作により蓋を容易に開閉させて廃棄物を容器に回収することのできる装置であり、さらに詳しくは、空き缶や雑誌などの廃棄物をはじめ医療廃棄物の回収に好適な廃棄物回収用装置に関する。
【背景技術】
【０００２】
医療用廃棄物の回収用装置は、衛生面や防臭面の観点から、使用済みの注射器やガーゼなどの医療廃棄物を、廃棄物格納用の容器にしっかりと回収できることが必要とされる。このため、容器は、容器本体の開口部の端部に蓋を係合するなどして、収容した廃棄物をしっかりと閉塞できることが要求される。
【０００３】
一方、医療用廃棄物の回収用装置は、廃棄物を廃棄する場合に、容器を直接、手で触れなくても、ペダル操作により繰り返し容器を開口させて廃棄物を廃棄できることが要求される。
【０００４】
このような要求に対して下記特許文献１において、上述したように容器本体が蓋により、係合された状態で閉塞されていても、ペダル操作による蓋の開口動作が可能な動作機構が設けられた医療廃棄物用処理容器が開示されている。
【０００５】
上記動作機構は、蓋体カバー（４）の回動支点として取り付けられた第一部材（５）、及び、第二部材（６）を備えている。第一部材（５）は、第二部材（６）に対して回動可能に一体に連結されている。さらに、ペダル（３２）の踏み下げにより押し上げられる縦杆（３６）、及び、該縦杆（３６）による蓋の押し上げ高さを規制する規制部（３８）が上端部に設けられた固定杆（３７）を備えている。第一部材（５）は、縦杆（３６）と枢着され、第二部材（６）は、上記固定杆（３７）を遊嵌する遊嵌筒（６１）を備えている。
【０００６】
上記動作機構により、ペダルを踏み下げると、蓋体カバー（４）を上方へ持ち上げて開口縁部との係合を解除した後で、続いて蓋体カバー（４）を回動させて容器本体（１）を開口することができる。
【０００７】
しかし、上述したように、動作機構は、例えば、第一部材（５）、第二部材（６）といった大別すると２つの構成部材から構成され、第二部材（６）は、遊嵌筒（６１）を備えた構成であるなど、従来のように、容器本体を開口するために蓋を回動させるヒンジ機構と比較すると、部品点数が多く、各部品自体の構成や組み付けも複雑である。
【０００８】
よって、組み立てに手間を要し、製造コストが高なる。また、部品点数が多く複雑な構成であるため、蓋の開閉が繰り返されることにより、ガタが生じ易くなり、故障し易くなるといった難点も有する。
【先行技術文献】
【特許文献】
【０００９】
特開２００６−１５１６５９号公報
【考案の概要】
【考案が解決しようとする課題】
【００１０】
そこでこの考案は、容易に組み立てることができ、製造コストを低減することができる簡素な構成であるとともに、蓋の開閉を繰り返しても、ガタつくことがない丈夫な構成により、蓋を押し上げてから回動起立させるといった略密封状態の容器の蓋開口動作を行うことができる廃棄物回収用装置を提供することを目的とする。
【課題を解決するための手段】
【００１１】
本考案の廃棄物回収用装置は、廃棄物を収容可能な容器本体を載置する基台、及び、上記容器本体の開口部の縁部に係合可能に閉塞する蓋をペダル操作により開閉する蓋開閉手段を備え、上記蓋開閉手段に、上記基台の下部に枢着してペダルの上下動操作により揺動する揺動杆と、上記容器本体の背面側に起立姿勢で上記揺動杆の揺動に連動して昇降動作する昇降杆と、上記基台に枢着して上記蓋の後方側で該蓋と一体に回動する回動部材とを備え、上記回動部材に上記蓋を保持する蓋保持部を備えるとともに、上記回動部材を上記昇降杆の上部に連結して構成した廃棄物回収用装置であって、上記回動部材と上記基台との上記枢着部分に、当該回動部材を上記開口縁部と上記蓋との係合が解除される高さ方向へスライド案内する案内手段を構成したことを特徴とする。
【００１２】
上記構成により、ペダルを踏み下げることにより、まず、蓋を容器本体の開口縁部との係合が解除されるまで持ち上げ、その後、容器本体が開口されるよう蓋を回動起立させるといった一連の蓋開口動作をすることができる。
【００１３】
さらに、上述した一連の蓋開口動作は、上記回動部材と上記基台との上記枢着部分に案内手段を構成するといった簡素な構成で実現することができる。
【００１４】
すなわち、本考案の廃棄物回収用装置は、複雑な部材を用いたり、多数の部品を組み合わせたりすることがなく構成できるため、従来の蓋開口機構と比較して、組み立てが容易であるとともに、製造コストを低減することができる。さらに、蓋の開閉動作が繰り返し行われる状況下であっても、ガタつくことや故障することなく使用することができる。
【００１５】
また、この考案の態様として、上記案内手段は、上記回動部材に構成した長孔であり、上記長孔を、上記開口縁部と上記蓋との係合を解除可能な長さ分だけ上記基台との上記枢着部分がスライド可能な溝長さで構成することができる。
【００１６】
上記構成により、従来の単に蓋を起立回動可能なヒンジ機構に対して上記回動部材に長孔を構成するだけで、上記一連の２段階の動作による蓋開口動作が可能となり、殊に簡素な構成で構成することができる。
【００１７】
また、上記案内手段は、上述したように、上記回動部材に構成した長孔であることが好ましいが、上記長孔は、上記基台の側に構成してもよい。  
さらに、上記案内手段は、長孔に限定せず、例えば、楕円形状の溝、或いは、部材の端部から切り欠いた切欠状の溝、で構成することができる。  
さらにまた、上記溝長さとは、長孔の長さ方向の長さ、すなわち、長孔形成方向の長さを示す。
【００１８】
また、この考案の態様として、ペダルの下動操作した状態で上記揺動杆を係合して上記蓋を開状態にロックする係合ロック手段を、上記基台の上記揺動杆との枢着部分より前方側であるとともに上記揺動杆の側方近傍に構成し、上記揺動杆を、上記係合ロック手段と係合可能に幅方向へスライド可能に構成することができる。
【００１９】
上記構成により、上記揺動杆を下降させた状態で係合ロック手段に係合させることができるため、蓋を開状態に保持しておくことができる。
【００２０】
さらに、上記揺動杆は、ペダルを踏み下げた状態で係合ロック手段側にスライドさせることにより係合させることができため、該揺動杆が係合手段に対して軸回りに傾くことがない。  
よって、上記揺動杆は、係合ロック手段に対して不用意に係合が解除されることなく、しっかりと係合した状態を保つことができる。
【００２１】
その他にも、上記揺動杆を係合ロック手段側にスライドさせるだけで係合することができるため、ペダル操作のみでスムーズにロックすることが可能である。
【００２２】
また、この考案の態様として、上記蓋の幅方向両側から上方に突き出した突起部をそれぞれ備え、上記蓋保持部を、上記蓋の幅方向の一方の上記突起部と他方の上記突起部とのそれぞれを挟持する一対の挟持手段により構成することができる。
【００２３】
上記構成により、蓋の幅方向の各側を上記一対の挟持手段のそれぞれにより挟持する構成であるため、ペダル操作により蓋を繰り返し、或いは、勢いよく回動起立する場合であっても、蓋が不用意に回動部材から外れてしまうこともなく、しっかりと保持しておくことができる。
【００２４】
上記挟持手段は、上記突起部を撓み変形力や弾性力を利用して取り外し可能に摘むことができる例えば、クリップを含む。
【考案の効果】
【００２５】
本考案によれば、容易に組み立てることができ、製造コストを低減することができる簡素な構成であるとともに、蓋の開閉を繰り返しても、ガタつくことがない丈夫な構成により、蓋を押し上げてから回動起立させるといった略密封状態の容器の蓋開口動作をスムーズに行うことができる。
【図面の簡単な説明】
【００２６】
【図１】本実施形態における廃棄物回収用装置の外観図。
【図２】本実施形態における廃棄物回収用装置の要部拡大図。
【図３】本実施形態における廃棄物回収用装置を断面により示した構成説明図。
【図４】本実施形態における廃棄物回収用装置の要部拡大図。
【図５】本実施形態における廃棄物回収用装置の要部拡大図。
【図６】本実施形態における廃棄物回収用装置の構成説明図。
【図７】本実施形態における廃棄物回収用装置の構成説明図。
【図８】本実施形態における廃棄物回収用装置の構成説明図。
【図９】本実施形態における廃棄物回収用装置の作用説明図。
【図１０】本実施形態における廃棄物回収用装置の作用説明図。
【図１１】本実施形態における廃棄物回収用装置の構成説明図。
【考案を実施するための形態】
【００２７】
この考案の一実施形態を以下図面と共に説明する。  
本実施形態における廃棄物回収用装置１１は、図１から図４に示すように構成している。  
図１、図２、図３、及び、図４は、それぞれ本実施形態における廃棄物回収用装置１１を斜め上方から視た外観図、要部拡大した構成説明図、幅方向における中間部分を上下方向に切断してあらわした構成説明図、図３に示した廃棄物回収用装置１１における要部を拡大した構成説明図である。
【００２８】
本実施形態における廃棄物回収用装置１１は、大別すると、容器１２と、該容器１２をセット可能なフレーム構造をした基台１５と、ペダル操作により蓋１４を開閉する蓋開閉機構１６とで構成している。
【００２９】
容器１２は、いずれも合成樹脂製の容器本体１３と蓋１４とを備えている。容器本体１３は、上面に開口部１７を備えた有底筒状であるとともに、縦長の長方形状で構成している。蓋１４は、上記開口部１７を閉塞可能な大きさを有した板状に構成している。
【００３０】
容器本体１３における上記開口縁部１７ａ（上端部）は、蓋１４に係合可能に全周を、図４に示すように、上方へ突き出した後、外方向へ屈曲した凸状に形成している。  
蓋１４は、容器本体１３に取り付けたとき、その下面外周端部に沿って、上記開口縁部１７ａに係合可能な凹状の開口縁係合部２３を構成している。また、蓋１４の上記開口縁係合部２３に対応する上面部分は、上方に突き出した突起部２４を形成している。すなわち、上記突起部２４は、蓋１４の上面外周端部に沿って形成している。
【００３１】
上記構成により、容器１２は、蓋１４をした状態において内部を略密封状態に保つことができる。すなわち、蓋１４を、容器本体１３に取り付けた状態において、開口縁部１７ａにおける所定の縁部を回動支点として回動起立させただけでは、開口縁部１７ａと開口縁係合部２３とは、容器本体１３から蓋１４から外れないよう互いに係合している（図４参照）。
【００３２】
また、上記基台１５は、基台本体部２５と、該基台本体部２５の後端部から立設した基台スタンド２６とを備えたフレーム構造により構成している。基台本体部２５は、容器本体１３を載置可能であるとともに４本の脚２７により全体を支持している。
【００３３】
なお、上記基台１５は、上記４本の脚２７のうち後方側における左右各側の脚２７の下部に、キャスタ２８を備えるとともに、基台スタンド２６の上部背面側に、後方側から人が把持可能な把持部３２を備えている。これにより、廃棄物回収用装置１１は、全体を後傾させた状態で上記把持部３２を把持し、キャスタ２８を転動させて移動可能に構成している。
【００３４】
また、上記蓋開閉機構１６は、図３に示すように、大別すると、揺動杆３３、昇降杆３４、並びに、回動部材３５を備えている。  
基台本体２５の下部には、前後方向に倒伏した状態で、上記揺動杆３３の長さ方向の後側中途部分を枢着した揺動杆枢着部３６を構成している。上記揺動杆３３の長さ方向における前端部には、踏みつけ可能なペダル３７を備えている。
【００３５】
また、上記昇降杆３４は、上記容器本体１３と基台スタンド２６との前後方向間に、起立状態で配している。そして、上記昇降杆３４の下端部と上記揺動杆３３の後端部とは、互いに連結し、当該連結部分に可動連結部３８を構成している（図３参照）。
【００３６】
さらにまた、上記回動部材３５は、基台１５に載置した容器１２における蓋１４の後方側において該蓋１４を保持する蓋保持部４２を備え、昇降杆３４の押し上げにより、蓋１４と一体に回動自在に基台スタンド２６の上部に枢着している。
【００３７】
さらに、回動部材３５は、板状基部４３を備え、容器本体１３を閉塞した蓋１４を蓋保持部４２により保持した状態においては、回動部材３５の板状基部４３が倒伏した倒伏姿勢（略水平姿勢）となる（図３，図４参照）。
【００３８】
さらにまた、上記回動部材３５は、倒伏姿勢において板状基部４３の前端部に、上記蓋保持部４２を取り付ける蓋保持部取付ブラケット４５を備え（図４参照）、板状基部４３の中央部、後端部にそれぞれ力点用突片部４６、支点用突片部４７を備えている（図２，図４参照）。  
上記力点用突片部４６と昇降杆３４の上端部とを枢着し、当該枢着部分に、回動部材３５が回動する力点となる力点枢着部４８を構成している。  
上記支点用突片部４７は、板状基部４３の幅方向の両側において対向状態で突き出して回動部材３５が回動する支点となる一対の突片部分であり、当該突片部分に、長孔４４を構成し、基台スタンド２６に対して枢着している。
【００３９】
ここで、回動部材３５の長孔４４と基台スタンド２６との枢着について詳述する。  
回動部材３５は、回動部材取付部材５２を介して基台スタンド２６に枢着している。上記回動部材取付部材５２は、基台スタンド２６の上端部よりも上方へ突き出すよう基台スタンド２６上部に溶着されている。
【００４０】
上記回動部材取付部材５２は、その上端部に横架させた円柱状の横架フレーム５３を、その幅方向両端部から起立状態の支持フレーム５２ａにより支持した構造である。上記横架フレーム５３の軸方向の各端部には、外周に螺子が形成されている。
【００４１】
回動部材３５における左右一対の支点用突片部４７同士の幅間に、横架フレーム５３を横架し、長孔４４に連通させた上記横架フレーム５３の両端部を、外側から蝶ネジ５４によりネジ留めしている。
【００４２】
これにより、回動部材３５は、横架フレーム５３に対して回動自在であるとともに長孔４４の長さ方向に沿ってスライド可能に枢着している（図２参照）。
【００４３】
また、上記長孔４４は、横架フレーム５３が長孔４４の長さ方向における上端部に位置している状態（図４参照）から、回動部材３５の押し上げにより蓋１４の開口縁係合部２３と開口縁部１７ａとの係合が解除されるまでスライド案内可能な溝長さ（長さ方向長さ）を備えて構成している（図４中、Ｌ参照）。
【００４４】
続いて、上記蓋保持部４２の構成について図５、及び、図６を用いて説明する。  
蓋保持部４２は、蓋保持用クリップ５５とクリップ取付用フレーム５６とにより構成している。  
なお、図５は、蓋保持用クリップ５５により蓋１４を挟持している様子を拡大して示した断面図であるとともに、図６は、蓋１４、蓋保持部４２、及び、回動部材３５の外観図であり、いずれも蓋保持部４２の構成説明図である。
【００４５】
蓋保持用クリップ５５は、図５に示すように、幅方向の両側で対向する撓み変形可能な一対の対向片５７，５７、及び、これらを一体とする基端部分からなる金属製部材であり、該一対の対向片５７，５７により蓋１４の上面から突き出した上記突起部２４を挟持可能に構成している。
【００４６】
クリップ取付用フレーム５６は、図６に示すように、回動部材３５と蓋保持用クリップ５５とを連結するフレーム部材であり、蓋１４の後端部分、及び、幅方向の両端部における後端部から中間部分に沿って配置可能な平面視コの字型で構成している。クリップ取付用フレーム５６は、回動部材３５が倒伏姿勢においてコの字型の開口部１７分が前方を向くように、該クリップ取付用フレーム５６の幅方向の中間部分を、蓋保持部取付ブラケット４５に一体に溶着している。  
さらに詳しくは、蓋保持部取付ブラケット４５の基部側は、クリップ取付用フレーム５６を溶着により一体に取り付けるとともに、該蓋保持部取付ブラケット４５の先端部分は、蓋１４における上記突起部２４に嵌合させて取り外し可能に取り付けている（図４参照）。
【００４７】
また、廃棄物回収用装置１１は、容器本体１３が開口した状態に蓋１４を係合ロックする係合ロック部材６２を基台本体２５に備えている。  
上記係合ロック部材６２は、基台本体２５の幅方向の中間部分であって、図３に示すように、前後方向における揺動杆枢着部３６よりも前方側部分に下方へ向けて突設している。上記係合ロック部材６２は、図７（ａ），（ｂ），（ｃ）に示すように、その幅方向の中間部分に揺動杆３３を挿通可能に上下方向に長いスリット状に構成した挿通孔６３を備え、正面視すると縦長をした略Ｕ字型形状で形成している。
【００４８】
さらに上記係合ロック部材６２は、該係合ロック部材６２の挿通孔６３の左側内壁部に、係合板６４を面接触状態に溶着している。  
なお、図７（ａ），（ｂ），（ｃ）は、いずれも、上記係合ロック部材６２を前後方向中間部において切断した断面を示す構成説明図であり、それぞれ揺動杆３３の挿通孔６３への挿通部分３３ａを下動させたときの様子を示す。
【００４９】
一方、揺動杆枢着部３６において揺動杆３３は、図８に示すように、その軸方向における挿通孔６３への挿通部分３３ａを３ｍｍから１０ｍｍ程度、幅方向へ僅かにスライド可能に基台１５に対して枢着している。  
なお、図８は、廃棄物回収用装置１１の底面図であるとともに、揺動杆枢着部３６の構成説明図である。
【００５０】
以上により、図７（ｃ）、及び、図８に示すように、揺動杆３３は、下降させた状態でその軸方向の挿通部分３３ａを正面視左側へスライドすることにより上記係合板６４に係合可能に構成している。  
また、基台本体２５の正面視右端側には、図１に示すように、蓋保持部４２から外した状態の蓋１４を保管しておく蓋ホルダ６５を構成している。  
上記蓋ホルダ６５は、基台本体２５の正面視右端側において前後方向に配したフレームを備え、該フレームの両端部を、起立状態の蓋１４を嵌め込み可能に基台本体２５側に溶着している。
【００５１】
上述した構成の廃棄物回収用装置１１において、蓋１４を閉じた状態の容器１２を、ペダル３７を踏み下げてから開口するまでの流れについて図９、及び、図１０を用いて説明する。  
なお、図９は、蓋１４の容器本体１３との係合を解除する過程を一部要部拡大して示した廃棄物回収用装置１１の作用説明図である。図１０は、蓋１４を開く過程を一部要部拡大して示した廃棄物回収用装置１１の作用説明図である。
【００５２】
ペダル３７を踏み下げると、揺動杆３３は、その軸方向後端部が揺動杆枢着部３６を支点として上昇する。そして、昇降杆３４は、揺動杆３３の後端部の上昇に連動して上昇し、回動部材３５を押し上げる（図９中、矢印Ｆ参照）。
【００５３】
これにより、回動部材３５は、上記倒伏姿勢を保ったまま、上方へスライドする。
【００５４】
蓋１４は、蓋保持部４２により回動部材３５と一体に取り付いているため、回動部材３５が上昇すると、蓋１４も一体に上昇する（図９中、矢印Ｄ参照）。
【００５５】
すなわち、回動部材３５が上記倒伏姿勢で、開口縁部１７ａと開口係合部２３とが係合した蓋１４の閉塞状態においては、基台１５側に固着した横架フレーム５３は、長孔４４の長さ方向における一方の端部（上端部）に位置している（図４参照）。回動部材３５を押し上げると、開口縁部１７ａと開口係合部２３との係合が解除されるまで、横架フレーム５３が長孔４４の長さ方向に沿ってスライドし（図９中、矢印ｄ参照）、やがて横架フレーム５３は、図９に示すように、長孔４４の長さ方向における他方の端部（下端部）に達する。
【００５６】
そして、図１０に示すように、横架フレーム５３が長孔４４の長さ方向の他方の端部（下端部）に達した状態で、さらにペダル３７を踏み下げて昇降杆３４により回動部材３５を押し上げると（図１０中、矢印Ｆ参照）、回動部材３５は、長孔４４の他方の端部（下端部）を回動支点として蓋１４とともに回動し（図１０中、矢印Ｄ参照）、容器本体１３から蓋１４を取り外すことができる。
【００５７】
本実施形態における廃棄物回収用装置１１は、上述したように、開口縁部１７ａと開口係合部２３とが係合可能な容器１２を備えているため、使用済みのガーゼや注射針といった医療廃棄物を略密封状態で保管しておくことができ、衛生面、防臭面での状態を良好に保つことができる。
【００５８】
しかも、このような容器１２であっても、一旦、蓋１４を容器本体１３から持ち上げ、その後、蓋１４を回動させて容器本体１３を開口するという一連の蓋開口動作が可能であるため、ペダル３７を踏むだけで蓋１４をスムーズに開けて廃棄物を廃棄することができる。
【００５９】
さらに、回動部材３５における横架フレーム５３との枢着部分を長孔４４で形成することにより、回動部材３５は、蓋１４の開口縁部１７ａとの係合を解除するまで長孔４４の長さ方向に沿ってのスライドが可能となる。
【００６０】
このため、本実施形態における廃棄物回収用装置１１は、複数の部品を組み合わせたり、複雑な形態に加工したりするといった必要もなく、長孔４４を利用したシンプルで構成により上記一連の蓋開閉動作を実現することができる。
【００６１】
よって、本実施形態における廃棄物回収用装置１１は、長孔４４を利用した構成であるため、組み立てが容易であるとともに、製造コストを低減することができる。  
さらに、頻繁に蓋開閉操作が行われる状況下であっても、複数の部品同士を螺子留めにより組み合わせた構成のように螺子の緩み等によるガタつきが生じることもなく、丈夫な構成を実現することができる。  
また、ガタつきにより、開閉時に蓋１４が開口縁部１７ａに引っ掛かりスムーズな開閉操作が阻害されたり、容器本体１３に対する蓋１４の取り付け状態に支障を来たし、内部を略密封状態に保つことが阻害されることもない。
【００６２】
また、本実施形態における廃棄物回収用装置１１は、上述したように、上記蓋保持部４２は、平面視した状態で左右一対の蓋保持用クリップ５５における左側の蓋保持用クリップ５５により、上記蓋１４の左側端部側の突起部２４を挟持するとともに、右側の蓋保持用クリップ５５により、上記蓋１４の右側端部側の突起部２４を挟持することができる（図１参照）。
【００６３】
具体的に、例えば、蓋１４を左右両外側から挟み込んで保持する従来の構成の場合、弱い力で挟持すると蓋１４が外れてしまう。逆に、強い力で挟持すると合成樹脂製で薄肉である蓋１４が幅方向における圧縮力により撓み変形してしまい、蓋保持部４２から蓋１４が外れることや破損することが想定される。
【００６４】
これに対して、本実施形態の蓋保持部４２のように、蓋１４の左右両端側２箇所それぞれにおいて、蓋保持用クリップ５５で蓋１４を挟持することにより蓋１４に幅方向における圧縮力がかからず、且つ、繰り返し、或いは、勢いよく蓋１４を開閉した場合であっても、不用意に取り外れることがなくしっかりと保持することができる。
【００６５】
また、蓋１４は、蓋保持用クリップ５５から取り外すことが可能であるため、蓋１４を取り外して洗浄したり、用途に応じて適宜、開口部１７を常時、開口した状態で用いることができる。
【００６６】
さらにまた、蓋保持用クリップ５５は、撓み変形、弾性変形が可能であるため、蓋保持用クリップ５５により挟持する挟持部分のサイズや形状が異なる別の蓋であっても、しっかりと挟持して保持することができる。
【００６７】
よって、メーカーや規格が異なり、サイズ（容量）や形状の異なる容器を基台１５にセットした場合であっても、蓋保持用クリップ５５により蓋１４を挟持して確実に蓋１４の開閉操作をすることできる。
【００６８】
また、本実施形態における廃棄物回収用装置１１は、上述したように蓋ホルダ６５を備えているため、蓋保持用クリップ５５から取り外した蓋１４、或いは、ストック分として別途、備えた蓋１４を、図１１に示すように、上記蓋ホルダ６５に保持させておけば、場所をとらず、また、紛失したり破損したりせずに保管しておくことができる。
【００６９】
続いて、上記係合ロック部材６２の作用、効果について説明する。  
上述したように、係合ロック部材６２は、ペダル３７の下動操作により上記揺動杆３３の長さ方向における上記挿通孔６３への挿通部分３３ａが下降し（図７（ｂ）参照）、さらに、正面視左側へスライドさせることにより、上記挿通部分３３ａの上端部と係合板６４の下端部とを互いに係合することができるため、上記蓋１４を開状態にロックすることができる（図７（ｃ）参照）。
【００７０】
さらに、このように、上記揺動杆３３は、上記係合板６４に係合可能に数ミリ程度、左側へスライド可能に基台１５に対して枢着した構成であるため（図８参照）、揺動杆３３がその軸回りに傾くことなく係合板６４に係合させることができる。
【００７１】
従って、係合板６４と上記揺動杆３３とは、互いに安定した接触面で係合することができるため、不用意に係合が解除されることなく、強固に係合ロックした状態を保つことができる。
【００７２】
さらに、揺動杆３３は、スライドにより幅方向への移動が可能であるため、ペダル３７の踏み付け操作のみで、スムーズに上記蓋１４を開状態にロックすることができる。
【００７３】
また、上述した実施形態と、この考案の構成との対応において、この実施形態の蓋開閉機構１６は、この考案の蓋開閉手段に対応し、以下同様に、
蓋保持用クリップ５５は、挟持手段に対応し、
係合ロック部材６２は、係合ロック手段に対応し、
開口縁部１７ａは、開口部の縁部に対応するも、
この考案は、上述の実施形態の構成のみに限定されるものではなく、多くの実施の形態を得ることができる。
【符号の説明】
【００７４】
１１…廃棄物回収用装置
１２…容器
１３…容器本体
１４…蓋
１５…基台
１６…蓋開閉機構
１７…開口部
１７ａ…開口縁部
２３…開口縁係合部
２４…突起部
３３…揺動杆
３４…昇降杆
３５…回動部材
３７…ペダル
４２…蓋保持部
５５…蓋保持用クリップ
６２…係合ロック部材
６４…係合板
【図１】
0003163412.tif 000003
【図２】
0003163412.tif 000004
【図３】
0003163412.tif 000005
【図４】
0003163412.tif 000006
【図５】
0003163412.tif 000007
【図６】
0003163412.tif 000008
【図７】
0003163412.tif 000009
【図８】
0003163412.tif 000010
【図９】
0003163412.tif 000011
【図１０】
0003163412.tif 000012
【図１１】
0003163412.tif 000013